(57)【要約】【課題】とりわけホット飲料を飲用する際に火傷せず飲みやすく、飲用時に蓋材上に飲料が残ることを抑制することが可能な、オーバーキャップを提供する。【解決手段】オーバーキャップ２０は、フランジ１３を有するカップ状の容器本体１１と、容器本体１１を密閉する蓋材５０とを有する飲料用容器１５に取り付けられる。オーバーキャップ２０は、飲み口部２４が形成された天面部２１と、筒状の胴体部２２と、飲み口部２４に連通する突き刺し部２３と、を備えている。突き刺し部２３の外面のうち、天面部２１から離間した位置に、突き刺し部２３を蓋材５０に突き刺した後に蓋材５０と係合する係合部３２が形成されている。胴体部２２の内面に、突き刺し部２３を蓋材５０に突き刺す前にフランジ１３に嵌合する第１嵌合部２８と、突き刺し部２３を蓋材５０に突き刺した後にフランジ１３に嵌合する第２嵌合部２９とが形成されている。【選択図】図１
2020037441.tif 000002
【特許請求の範囲】
【請求項１】
フランジを有するカップ状の容器本体と、前記容器本体を密閉する蓋材とを有する飲料用容器に取り付けられるオーバーキャップにおいて、
飲み口部が形成された天面部と、
前記天面部から下方に延びる筒状の胴体部と、
前記胴体部の内側で前記天面部から下方に延びるとともに、前記飲み口部に連通する突き刺し部と、を備え、
前記突き刺し部の外面のうち、前記天面部から離間した位置に、前記突き刺し部を前記蓋材に突き刺した後に前記蓋材と係合する係合部が形成され、
前記胴体部の内面に、前記突き刺し部を前記蓋材に突き刺す前に前記容器本体の前記フランジに嵌合する第１嵌合部と、前記突き刺し部を前記蓋材に突き刺した後に前記容器本体の前記フランジに嵌合する第２嵌合部とが形成されている、オーバーキャップ。
【請求項２】
前記天面部の下方に、少なくとも１つの突き刺し位置規制棒が突設されている、請求項１記載のオーバーキャップ。
【請求項３】
前記天面部に、前記飲み口部を開閉可能なヒンジ蓋が取り付けられている、請求項１又は２記載のオーバーキャップ。
【請求項４】
前記第１嵌合部は、前記胴体部の内面全周に形成されている、請求項１乃至３のいずれか一項記載のオーバーキャップ。
【請求項５】
前記第２嵌合部は、前記胴体部の内面全周に形成されている、請求項１乃至４のいずれか一項記載のオーバーキャップ。
【請求項６】
フランジを有するカップ状の容器本体と、前記容器本体を密閉する蓋材とを有する飲料用容器と、
前記飲料用容器に取り付けられた、請求項１乃至５のいずれか一項記載のオーバーキャップと、を備えた、オーバーキャップ付き容器。
【請求項７】
前記飲み口部には、初期密封手段としての飲み口栓が取り付けられ、前記飲み口栓は、前記飲み口部の上端から前記突き刺し部の下端までの距離より長い全高を持つ、請求項６記載のオーバーキャップ付き容器。
【請求項８】
前記蓋材上に、初期密封手段としての突き刺し防止板が設けられている、請求項６記載のオーバーキャップ付き容器。
【発明の詳細な説明】
【技術分野】
【０００１】
本実施の形態は、オーバーキャップおよびオーバーキャップ付き容器に関する。
【背景技術】
【０００２】
従来、コーヒー等の内容物を充填し、飲用するための飲料カップが知られている。このような飲料カップに充填された内容物は、ストローを用いて飲用されることが一般的である。また、近年、飲料カップにおいて、ストロー以外の手段を用いて内容物を飲用することも行われている。
【先行技術文献】
【特許文献】
【０００３】
【特許文献１】特開２０１４−２４５９５号公報
【発明の概要】
【発明が解決しようとする課題】
【０００４】
しかしながら、飲料カップを用いてホット飲料を飲用する場合、口径の小さい飲用口を用いると、内容物を飲用するスピードが調整しにくく、ユーザーが火傷してしまうおそれがある。このため、とりわけホット飲料用の飲料カップにおいては、ある程度広い口径の飲用口とすることが望まれる。
【０００５】
また、従来、蓋材を突刺し刃によって開封するタイプのオーバーキャップが知られている（例えば特許文献１参照）。しかしながら、このようなオーバーキャップを用いると、蓋材上に内容物が残り、飲用時にこの蓋材上の内容物が飛び散るおそれがある。
【０００６】
本開示はこのような点を考慮してなされたものであり、とりわけホット飲料を飲用する際に火傷せず飲みやすく、飲用時に蓋材上に飲料が残ることを抑制することが可能な、オーバーキャップおよびオーバーキャップ付き容器を提供することを目的とする。
【課題を解決するための手段】
【０００７】
本実施の形態によるオーバーキャップは、フランジを有するカップ状の容器本体と、前記容器本体を密閉する蓋材とを有する飲料用容器に取り付けられるオーバーキャップにおいて、飲み口部が形成された天面部と、前記天面部から下方に延びる筒状の胴体部と、前記胴体部の内側で前記天面部から下方に延びるとともに、前記飲み口部に連通する突き刺し部と、を備え、前記突き刺し部の外面のうち、前記天面部から離間した位置に、前記突き刺し部を前記蓋材に突き刺した後に前記蓋材と係合する係合部が形成され、前記胴体部の内面に、前記突き刺し部を前記蓋材に突き刺す前に前記容器本体の前記フランジに嵌合する第１嵌合部と、前記突き刺し部を前記蓋材に突き刺した後に前記容器本体の前記フランジに嵌合する第２嵌合部とが形成されている。
【０００８】
本実施の形態によるオーバーキャップにおいて、前記天面部の下方に、少なくとも１つの突き刺し位置規制棒が突設されていても良い。
【０００９】
本実施の形態によるオーバーキャップにおいて、前記天面部に、前記飲み口部を開閉可能なヒンジ蓋が取り付けられていても良い。
【００１０】
本実施の形態によるオーバーキャップにおいて、前記第１嵌合部は、前記胴体部の内面全周に形成されていても良い。
【００１１】
本実施の形態によるオーバーキャップにおいて、前記第２嵌合部は、前記胴体部の内面全周に形成されていても良い。
【００１２】
本実施の形態によるオーバーキャップ付き容器は、フランジを有するカップ状の容器本体と、前記容器本体を密閉する蓋材とを有する飲料用容器と、前記飲料用容器に取り付けられた、前記オーバーキャップと、を備えている。
【００１３】
本実施の形態によるオーバーキャップ付き容器において、前記飲み口部には、初期密封手段としての飲み口栓が取り付けられ、前記飲み口栓は、前記飲み口部の上端から前記突き刺し部の下端までの距離より長い全高を持っても良い。
【００１４】
本実施の形態によるオーバーキャップ付き容器において、前記蓋材上に、初期密封手段としての突き刺し防止板が設けられていても良い。
【発明の効果】
【００１５】
本実施の形態によれば、とりわけホット飲料を飲用する際に火傷せず飲みやすく、飲用時に蓋材上に飲料が残ることを抑制することができる。
【図面の簡単な説明】
【００１６】
【図１】図１は、本実施の形態によるオーバーキャップ付き容器を示す垂直断面図（図２のＩ−Ｉ線断面図）。
【図２】図２は、本実施の形態によるオーバーキャップ付き容器を示す平面図。
【図３】図３は、本実施の形態によるオーバーキャップ付き容器を示す垂直断面図（図１と同一の位置における断面図）。
【図４】図４は、本実施の形態によるオーバーキャップ付き容器の一部を示す拡大断面図（図３のIV部拡大図）。
【図５】図５（ａ）−（ｄ）は、本実施の形態によるオーバーキャップ付き容器の使用方法を示す垂直断面図。
【図６】図６は、変形例によるオーバーキャップ付き容器を示す垂直断面図。
【発明を実施するための形態】
【００１７】
以下、オーバーキャップおよびオーバーキャップ付き容器の一実施の形態について、図１乃至図５を用いて説明する。図１乃至図５は、一実施の形態を示す図である。
【００１８】
なお、本明細書中、「上」および「下」とは、それぞれオーバーキャップ付き容器１０を正立させた状態（図１）における上方および下方のことをいう。ここで、「正立」とは、オーバーキャップ付き容器１０の容器本体１１をオーバーキャップ２０よりも鉛直方向下方に配置するとともに、オーバーキャップ２０の中心軸Ａを鉛直軸に対して平行にした状態をいう。
【００１９】
図１に示すように、本実施の形態によるオーバーキャップ付き容器１０は、飲料用容器１５と、飲料用容器１５に着脱可能に取り付けられたオーバーキャップ２０とを備えている。
【００２０】
このうち飲料用容器１５は、内部に飲料が充填されるカップ状の容器本体１１と、容器本体１１を密閉する蓋材５０とを有している。容器本体１１は、例えばポリプロピレン等のプラスチック製カップのほか、紙カップ等であっても良い。容器本体１１の内部に収容される飲料は特に限定されるものではなく、コーヒー、紅茶、緑茶等のホット飲料等を用いることができる。
【００２１】
容器本体１１は、全体として上方から下方に向けて徐々に幅が狭くなっている有底筒状容器からなる。この容器本体１１は、容器胴部１２と、容器胴部１２の上端に設けられたフランジ１３と、容器胴部１２の下部に形成された容器底部１４とを備えている。
【００２２】
このうち容器胴部１２は、上方（フランジ１３側）から下方（容器底部１４側）に向けて徐々に縮径する筒形状を有している。また容器胴部１２の水平断面は、その上端から下端までの任意の箇所において円形状となっている。しかしながら、容器胴部１２の水平断面は楕円形状、または三角形状、四角形状、六角形状、八角形状等の多角形状であっても良い。
【００２３】
フランジ１３は、平面視略円環形状をもち、容器胴部１２の上端から側方に向けて水平に突出している。なお、容器本体１１が例えば紙カップからなる場合には、フランジ１３は、外側に向けてカールさせることにより形成されたものであっても良い。また、容器底部１４は、平面視略円形状であり、容器胴部１２の下部に位置している。
【００２４】
蓋材５０は、平面視略円形状であり、容器本体１１のフランジ１３に対して全周にわたってシールされている。この蓋材５０は、容器本体１１を初期密封するものである。蓋材５０がフランジ１３に取り付けられることにより、容器本体１１の内部が気密に保持されている。また、蓋材５０は、オーバーキャップ２０の突き刺し部２３によって貫通可能な程度の強度を有している。蓋材５０の材料は、未延伸ナイロンやアルミニウム積層体等とすることができる。蓋材５０の厚みは、３０μｍ以上１５０μｍ以下としても良い。
【００２５】
次に、図１乃至図４を用いて、オーバーキャップ２０について説明する。なお、図１及び図２は、突き刺し部２３を蓋材５０に突き刺す前の状態を示し、図３及び図４は、突き刺し部２３を蓋材５０に突き刺した後の状態を示している。
【００２６】
図１乃至図４に示すように、本実施の形態によるオーバーキャップ２０は、容器本体１１のフランジ１３に取り付けられる。このオーバーキャップ２０は、天面部２１と、筒状の胴体部２２と、突き刺し部２３とを備えている。
【００２７】
このうち天面部２１は、平面視略円形状からなる。天面部２１には、オーバーキャップ２０の中心軸Ａからずれた位置に、略円筒状の飲み口部２４が形成されている。この飲み口部２４は、飲料用容器１５内の飲料を飲用する際に用いられる開口を有し、天面部２１から上方に突出している。飲み口部２４の内径は、１５ｍｍ以上３０ｍｍ以下となっている。これにより口径の小さいストロー等を用いる場合と比較して、飲料を飲用するスピードが調整しやすくなっている。また、天面部２１は、平坦部２５と、平坦部２５から盛り上がった盛り上がり部２６とを有している。飲み口部２４は、天面部２１の盛り上がり部２６上に位置している。
【００２８】
また、飲み口部２４には、飲み口部２４を初期密封する初期密封手段としての飲み口栓４０が着脱可能に取り付けられている。飲み口栓４０には、係合凸部４３が形成され、この係合凸部４３を盛り上がり部２６の係合凹部２７に係合させることにより、飲み口栓４０をオーバーキャップ２０に着脱可能に取り付けることができる。なお、飲み口栓４０の構成は後述する。
【００２９】
胴体部２２は、略円筒形状からなり、天面部２１から下方（容器本体１１側）に向けて延びている。胴体部２２の内面には、第１嵌合部２８と、第２嵌合部２９とがそれぞれ形成されている。
【００３０】
このうち第１嵌合部２８は、胴体部２２の下部内面に形成されている。第１嵌合部２８は、後述するように突き刺し部２３を蓋材５０に突き刺す前に、容器本体１１のフランジ１３に嵌合するものである（図１参照）。この第１嵌合部２８は、平面視略円環形状を有し、胴体部２２の内面から径方向内側に向けて突出する突起からなる。この場合、第１嵌合部２８は、胴体部２２の内面全周にわたって形成されているが、これに限らず、胴体部２２の内面の一部にのみに形成されていても良い。
【００３１】
第２嵌合部２９は、胴体部２２の上部内面であって、天面部２１の近傍に形成されている。すなわち第２嵌合部２９は、第１嵌合部２８よりも上方（天面部２１側）に位置する。第２嵌合部２９は、後述するように突き刺し部２３を蓋材５０に突き刺した後、容器本体１１のフランジ１３に嵌合するものである（図３及び図４参照）。この第２嵌合部２９は、平面視略円環形状を有し、胴体部２２の内面から径方向内側に向けて突出する突起からなる。この場合、第２嵌合部２９は、胴体部２２の内面全周にわたって形成されているが、これに限らず、胴体部２２の内面の一部にのみに形成されていても良い。
【００３２】
突き刺し部２３は、胴体部２２の内側で、天面部２１から下方（容器本体１１側）に向かって延びている。突き刺し部２３は、上方から下方に向かって縮径する略円筒形状からなり、その下面は蓋材５０に対して斜めに傾斜している。なお、突き刺し部２３の下面は、断面視で直線状に傾斜していても良く、上方に向けて湾曲していても良く、あるいはギザギザ状になっていても良い。
【００３３】
突き刺し部２３の下端には、鋭利な先端部３１が形成されている。この先端部３１は、突き刺し部２３を蓋材５０に突き刺す前には、蓋材５０よりも上方に位置している（図１参照）。先端部３１は、突き刺し部２３を蓋材５０に突き刺した後、蓋材５０よりも下方に位置する（図３参照）。また突き刺し部２３は、飲み口部２４に連通するとともに、天面部２１の盛り上がり部２６から下方に延びている。すなわち、飲み口部２４と突き刺し部２３とは上下に一体に形成されている。そして飲料用容器１５内の飲料を飲用する際には、飲料は突き刺し部２３を通過して、飲み口部２４に送られるようになっている。
【００３４】
突き刺し部２３の上部外面であって天面部２１から離間した位置に、係合部３２が形成されている。この係合部３２は、天面部２１よりも下方かつ第２嵌合部２９よりも上方に位置している。係合部３２は、後述するように突き刺し部２３を蓋材５０に突き刺した後、蓋材５０に係合するものである（図３及び図４参照）。この係合部３２は、平面視略円環形状を有し、突き刺し部２３の外面から径方向外側に向けて突出する突起からなる。なお、係合部３２と天面部２１の平坦部２５との上下方向の距離は、フランジ１３の厚みと蓋材５０の厚みとの合計に相当することが好ましい。この場合、係合部３２は、突き刺し部２３の外面全周にわたって形成されているが、これに限らず、突き刺し部２３の外面の一部にのみに形成されていても良い。
【００３５】
また、天面部２１の下方に、複数（この場合は３つ）の突き刺し位置規制棒３３が突設されている。突き刺し位置規制棒３３は、上下に細長い棒形状を有している。この突き刺し位置規制棒３３は、突き刺し部２３を蓋材５０に突き刺す際に、突き刺し部２３がオーバーキャップ２０の中心軸Ａに対して傾くことを抑制し、オーバーキャップ２０を容器本体１１に真っ直ぐ突き刺すことができるようにするものである。この突き刺し位置規制棒３３は、突き刺し部２３を蓋材５０に突き刺す前には、蓋材５０よりも上方に位置している（図１参照）。突き刺し位置規制棒３３は、突き刺し部２３を蓋材５０に突き刺した後、蓋材５０よりも下方に位置する（図３参照）。また、突き刺し位置規制棒３３は、蓋材５０に対してスムーズに突き刺すことができるよう、下端が鋭利になっていることが好ましい。なお、突き刺し位置規制棒３３は、少なくとも１つ設けられていれば良い。突き刺し位置規制棒３３は、少なくともオーバーキャップ２０の中心軸Ａに対し、突き刺し部２３の線対称となる位置に設けられていることが好ましい（図２参照）。
【００３６】
このようなオーバーキャップ２０の材料としては、例えば、ポリプロピレン、ＡＢＳ樹脂等の合成樹脂材料を用いることができる。また、オーバーキャップ２０を作製する方法としては、射出成形法を挙げることができる。
【００３７】
飲み口栓４０は、飲み口部２４に着脱可能に挿入されている。飲み口栓４０は、飲み口部２４から突き刺し部２３内に延びている。この飲み口栓４０は、栓本体部４１と、栓本体部４１の上部周縁に設けられた栓周縁部４２とを有している。このうち栓周縁部４２には、上述した係合凸部４３が形成され、この係合凸部４３は、天面部２１の係合凹部２７に係合している。また、栓本体部４１は、栓胴部４４と、平坦面からなる栓底面４５とを有している。栓胴部４４は、上方から下方に向かって縮径する略円筒形状からなっている。栓底面４５は、突き刺し部２３を蓋材５０に突き刺す前には、蓋材５０と接触しているか、又は蓋材５０よりもわずかに上方に位置している（図１参照）。
【００３８】
図１に示すように、飲み口栓４０は、飲み口部２４の上端から突き刺し部２３の下端（先端部３１）までの距離よりも長い全高を持つ。すなわち、飲み口栓４０の平坦な栓底面４５は、突き刺し部２３の先端部３１よりも下方に位置している。このため、飲み口栓４０を飲み口部２４に装着した状態で、上方から天面部２１に不用意な力が加わった場合でも、突き刺し部２３の先端部３１が蓋材５０に接触することがなく、蓋材５０が破れてしまうおそれがない。
【００３９】
このような飲み口栓４０の材料としては、例えば、ポリプロピレン、ポリスチレン、ＡＢＳ樹脂等の合成樹脂材料を用いることができる。飲み口栓４０の材料は、オーバーキャップ２０の材料と同一であっても良く、異なる材料であっても良い。また、飲み口栓４０を作製する方法としては、射出成形法、シート成形法を挙げることができる。なお、飲み口栓４０は、飲み口部２４を開閉可能な部材であれば良く、コルク栓等、中実状の部材を用いても良い。
【００４０】
次に、このような構成からなる本実施の形態について説明する。具体的には、飲料が充填されたオーバーキャップ付き容器１０を初期開封し、飲料を飲用する際の作用について、図５（ａ）−（ｄ）を用いて説明する。
【００４１】
はじめに、初期開封前の状態では、図５（ａ）に示すように、オーバーキャップ２０が飲料用容器１５に取り付けられ、飲み口栓４０が飲み口部２４に取り付けられている。このとき、オーバーキャップ２０の第１嵌合部２８は、容器本体１１のフランジ１３に嵌合している。
【００４２】
続いて、図５（ｂ）に示すように、飲み口栓４０を上方に引き上げる。このとき、飲み口栓４０の係合凸部４３を天面部２１の係合凹部２７から離脱させることにより、飲み口栓４０が飲み口部２４から取り外される。このように、飲み口栓４０が取り外されたことにより、突き刺し部２３の先端部３１が蓋材５０を突き刺し可能な状態となる。
【００４３】
次に、図５（ｃ）に示すように、オーバーキャップ２０を下方に押し込む。この間、オーバーキャップ２０の突き刺し部２３の先端部３１が蓋材５０に当接し、その後、突き刺し部２３が蓋材５０を突き破る。これにより、突き刺し部２３の先端部３１は、蓋材５０の下方に進入する。また、天面部２１の下方に延びる複数の突き刺し位置規制棒３３も蓋材５０を突き破り、蓋材５０の下方に進入する。この突き刺し位置規制棒３３により、突き刺し部２３の向きが斜めになることが抑えられ、オーバーキャップ２０を容器本体１１に対して真っ直ぐ突き刺すことができる。
【００４４】
次いで、図５（ｄ）に示すように、オーバーキャップ２０がさらに下方に押し込まれ、オーバーキャップ２０の第２嵌合部２９が、容器本体１１のフランジ１３に嵌合する。また、オーバーキャップ２０の係合部３２が、蓋材５０の下面に係合する。このため、係合部３２と蓋材５０との間に隙間が生じにくい。
【００４５】
その後、容器本体１１を傾けることにより、容器本体１１内の飲料を飲用する。この際、容器本体１１内の飲料は、突き刺し部２３を通過して飲み口部２４に送られる。
【００４６】
このように本実施の形態によれば、オーバーキャップ２０を下方に押し込み、突き刺し部２３を蓋材５０に突き刺すことにより、飲み口部２４を介して容器本体１１内の飲料を飲用することができる。これにより、径の小さいストロー等を用いる場合と比較して、飲料を飲用するスピードが調整しやすい。また、突き刺し部２３の外面のうち、天面部２１から離間した位置に、突き刺し部２３を蓋材５０に突き刺した後に蓋材５０と係合する係合部３２が形成されている。これにより、容器本体１１内の飲料を飲用する際、突き刺し部２３と蓋材５０とが係合するため、飲料が蓋材５０の表面側に漏れにくい。このように本実施の形態によるオーバーキャップ付き容器１０を用いることにより、とりわけホット飲料を火傷することなく飲用できるとともに、飲用時に蓋材５０上に飲料が残ることを抑制することができる。
【００４７】
また本実施の形態によれば、オーバーキャップ２０の胴体部２２の内面に、突き刺し部２３を蓋材５０に突き刺した後に容器本体１１のフランジ１３に嵌合する第２嵌合部２９が設けられている。これにより、突き刺し部２３を蓋材５０に突き刺した後に、フランジ１３とオーバーキャップ２０とが嵌合するため、飲料がオーバーキャップ付き容器１０から漏れにくくなっている。
【００４８】
また本実施の形態によれば、天面部２１の下方に、少なくとも１つの突き刺し位置規制棒３３が突設されている。突き刺し位置規制棒３３は、少なくともオーバーキャップ２０の中心軸Ａに対し、突き刺し部２３の線対称となる位置に設けられている。これにより、オーバーキャップ２０を容器本体１１に対して真っ直ぐに突き刺すことができる。
【００４９】
また本実施の形態によれば、飲み口部２４には、初期密封手段としての飲み口栓４０が取り付けられ、飲み口栓４０は、飲み口部２４の上端から突き刺し部２３の下端までの距離より長い全高を持つ。これにより、初期開封前に不用意に天面部２１に力が加わった場合でも、突き刺し部２３が蓋材５０に誤って突き刺さることを防止することができる。また、飲み口栓４０により、初期開封前に飲み口部２４内に埃等の異物が侵入することを抑え、オーバーキャップ付き容器１０を衛生的なものとすることができる。
【００５０】
また本実施の形態によれば、第１嵌合部２８は、胴体部２２の内面全周に形成されているので、オーバーキャップ２０を容器本体１１のフランジ１３に強固に嵌合することができる。
【００５１】
また本実施の形態によれば、第２嵌合部２９は、胴体部２２の内面全周に形成されているので、突き刺し部２３を蓋材５０に突き刺した後、全周にわたり、飲料がフランジ１３から漏れることを抑制することができる。
【００５２】
［実施例］
次に、上記実施の形態における具体的実施例について説明する。
【００５３】
図１乃至図４に示すオーバーキャップ付き容器１０（実施例）を作製した。この場合、まずポリプロピレン製の容器本体１１を射出成形により作製した。次に、この容器本体１１に水を充填し、アルミニウム積層体製の蓋材５０で密封することにより、飲料用容器１５を得た。続いて、ポリプロピレン製のオーバーキャップ２０を射出成形により作製し、このオーバーキャップ２０を容器本体１１のフランジ１３に取り付けた。その後、ポリプロピレン製の飲み口栓４０を飲み口部２４に装着することにより、オーバーキャップ付き容器１０を得た。次に、飲み口部２４から飲み口栓４０を取り外し、突き刺し部２３を蓋材５０に突き刺し、容器本体１１内の水を飲用した。このとき、水が蓋材５０上に残ることはなく、かつ水がオーバーキャップ２０と容器本体１１との間から漏れることもなかった。
【００５４】
（変形例）
次に、図６を参照して、オーバーキャップ付き容器の変形例について説明する。図６は、オーバーキャップ付き容器の変形例を示す断面図である。図６において、図１乃至図５に示す形態と同一部分には同一の符号を付して詳細な説明は省略する。
【００５５】
図６に示すオーバーキャップ付き容器１０において、オーバーキャップ２０の天面部２１に、飲み口部２４を開閉可能なヒンジ蓋６０が取り付けられている。このヒンジ蓋６０は、平らな蓋板６１と、蓋板６１の外周に形成された平面視略円弧状の蓋側壁６２とを有している。ヒンジ蓋６０は、ヒンジ軸６３を中心として天面部２１に対して回動自在となっている。天面部２１には、ヒンジ蓋６０の蓋板６１を収容する収容凹部３６が形成されている。飲み口部２４は、この収容凹部３６の内側に設けられている。
【００５６】
また、ヒンジ蓋６０のうち、蓋側壁６２の内側で回転半径の最も大きな部分には蓋突起６４が形成されている。この蓋突起６４が、オーバーキャップ２０の胴体部２２に形成された凹陥部３７に嵌合することにより、ヒンジ蓋６０が胴体部２２に係止される。このとき、ヒンジ蓋６０の蓋板６１は、飲み口部２４を完全に覆う。このように、蓋側壁６２の蓋突起６４と凹陥部３７とが係止し、ヒンジ蓋６０が飲み口部２４を覆うことにより、不用意な飲料の漏れを未然に防止することができる。また、ヒンジ蓋６０の外面の、ヒンジ軸６３を回転軸とする回転半径の最も大きな部分に、ヒンジ蓋６０を開き易くする突出片６５が設けられている。
【００５７】
また図６において、蓋材５０上に、初期密封手段としての突き刺し防止板７０が設けられている。この突き刺し防止板７０は、平面視略円形状であり、蓋材５０に対して固定されることなく、取り外し可能に載置されている。突き刺し防止板７０は、突き刺し部２３を蓋材５０に突き刺す前には、突き刺し部２３と接触しているか、又は突き刺し部２３よりもわずかに下方に位置している。このように、突き刺し防止板７０が蓋材５０を覆うことにより、上方から天面部２１に不用意な力が加わった場合でも、突き刺し部２３の先端部３１が蓋材５０を突き破るおそれがない。このような突き刺し防止板７０の材料としては、例えば、紙、プラスチック板等の硬質のシート材料を用いることができる。
【００５８】
図６に示すオーバーキャップ付き容器１０を用いる場合、まずオーバーキャップ２０を容器本体１１から取り外し、突き刺し防止板７０を蓋材５０上から取り除く。次に、オーバーキャップ２０を容器本体１１に取り付ける。続いて、オーバーキャップ２０を下方に押し込むことにより、突き刺し部２３の先端部３１が蓋材５０を突き破る。その後、オーバーキャップ２０がさらに下方に押し込まれ、オーバーキャップ２０の第２嵌合部２９が、容器本体１１のフランジ１３に嵌合する。また、オーバーキャップ２０の係合部３２が、蓋材５０の下面に係合する。その後、ヒンジ蓋６０を開くことにより、容器本体１１内の飲料を飲用することができる。
【００５９】
なお、図６に示すオーバーキャップ付き容器１０においても、図１乃至図５に示す形態と同様に、天面部２１に突き刺し位置規制棒３３を設けても良い。
【００６０】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００６１】
１０        オーバーキャップ付き容器
１１        容器本体
１２        容器胴部
１３        フランジ
１４        容器底部
１５        飲料用容器
２０        オーバーキャップ
２１        天面部
２２        胴体部
２３        突き刺し部
２４        飲み口部
２８        第１嵌合部
２９        第２嵌合部
３２        係合部
３３        突き刺し位置規制棒
４０        飲み口栓
５０        蓋材
６０        ヒンジ蓋
７０        突き刺し防止板
【図１】
2020037441.tif 000003
【図２】
2020037441.tif 000004
【図３】
2020037441.tif 000005
【図４】
2020037441.tif 000006
【図５】
2020037441.tif 000007
【図６】
2020037441.tif 000008